(57)【特許請求の範囲】
【請求項１】
隣接する壁軸組の対向する左右の縦柱の表面に沿って配設可能な金具本体と、
この配設状態で金具本体から壁軸組の背面に向けて一体に延設され、隣接する壁軸組の対向する左右の縦柱の間隙に挿入可能な幅を有するとともに、先端には、前記配設状態で壁軸組の対向する左右の縦柱の背面に係止し、前記配設状態から９０度回動させた状態では壁軸組の対向する左右の縦柱の間隙を通過可能な係止片が形成された係止金具と、
金具本体の背面側に設けられ、壁軸組の表面を押圧する弾性部材と、
金具本体の表面側から背面側に向けて螺合され、壁軸組から一定間隔をおいて建て込まれた隣接する内壁パネルの対向する左右の縦枠間を通って、この縦枠間の表面側に頭部を突出するネジ部材と、
このネジ部材の頭部に装着可能な押さえプレートと、
ネジ部材に回動可能に遊嵌されたふかし金具と、からなり、
隣接する壁軸組の対向する左右の縦柱の間隙を係止金具の係止片が通過できるように金具本体を保持したまま、この間隙に係止金具を挿入し、金具本体を隣接する壁軸組の対向する左右の縦柱の表面に押し付けたまま回動させて係止金具の係止片と弾性部材とによって金具本体を壁軸組に仮固定するとともに、
ふかし金具を隣接する壁軸組の対向する左右の縦柱の表面に当接させ、さらに、壁軸組から一定間隔をおいてふかし金具に沿って建て込んだ隣接する内壁パネルの対向する左右の縦枠を、ネジ部材の金具本体への螺合により押さえプレートでふかし金具に密着するように追い込んで、この壁軸組に固定する、
もしくは、ふかし金具を回動させて隣接する壁軸組の対向する左右の縦柱のうちの一方の縦柱の表面に当接させ、この一方の縦柱から一定間隔をおいてふかし金具に沿って建て込んだ内壁パネルの縦枠と、壁軸組の他方の縦柱に沿って建て込んだ内壁パネルの縦枠に設けた内壁下地枠とを、ネジ部材の金具本体への螺合により押さえプレートでふかし金具に密着するように追い込んで、この壁軸組に固定することを特徴とする内壁パネルの取付金具。
【請求項２】
前記押さえプレートには、ネジ部材の頭部をほぼ面一に埋没させる段差部が形成され、該段差部には、水平嵌入溝と垂直嵌入溝とからなる略Ｔ字状の嵌入溝が形成され、ネジ部材の脚部を垂直嵌入溝に嵌め込んだ状態でその頭部を水平嵌入溝に通過させて段差部に頭部を装着させることができるようになされていることを特徴とする請求項１記載の内壁パネルの取付金具。
【請求項３】
前記弾性部材は、隣接する壁軸組の間隙に挿入可能な位置決め片を一体に備えていることを特徴とする請求項１記載の内壁パネルの取付金具。
【発明の詳細な説明】
【０００１】
【発明の属する技術分野】
この発明は、内壁パネルを建築物の壁軸組に対して一定間隔をおいて固定するときに用いられる取付金具に関するものである。
【０００２】
【従来の技術】
従来、建築物の壁軸組に対して一定間隔をおいて内壁パネルを取り付けるため、特開平５−２３０９０４号公報に記載される取付金具が採用されている。この取付金具は、略へ字状の引き寄せ誘導溝が形成された取付板部と、この取付板部の先端から一体に延設され、壁軸組の間隙に挿入されて先端が壁軸組に係止可能な挿入係止片部と、前記取付板部に一体に固定され、取付板部の引き寄せ誘導溝に対応する引き寄せ誘導溝が形成された基板部と、この基板部の先端から一体に延設され、前記挿入係止片部が壁軸組の間隙に挿入されて係止されたときに、一方の壁軸組の前面側に配設された壁軸組補体に当接可能な当接片部と、基板部の基端から一体に延設され、当接片部の延設方向と反対の方向に略直角に折曲された弾性押さえ片部と、前記挿入係止片部に回動自在に遊嵌されたふかし用金具と、から構成されている。
【０００３】
そして、取付金具を壁軸組に仮に固定し、一の内壁パネルの縦枠を壁軸組補体および取付板部にあてがって取付板部の引き寄せ誘導溝から釘を打ち込み、取付板部を殴打して内壁パネルを引き寄せ誘導溝に沿って移動させることにより、壁軸組に当接するふかし用金具に密着させた状態で固定するようにしている。また、隣接する他の内壁パネルの縦枠をふかし用金具と基板部および弾性押さえ片部によって区画される空間に差し込むようにしている。
【０００４】
この結果、内壁パネルを壁軸組に対してふかし用金具により一定間隔をおいて強固に固定することができるとともに、少ない人員で作業が可能となる、といった利点を有するものである。
【０００５】
【発明が解決しようとする課題】
しかしながら、前述した取付金具によって内壁パネルを壁軸組に固定する場合、各取付金具に対して２本の釘打ち作業が必要となるとともに、その釘打ち過程において、取付板部を叩いて内壁パネルを移動させる必要があることから、多くの作業時間を必要とするという問題があった。また、取付板部に形成された引き寄せ誘導溝の範囲内で内壁パネルを移動させて壁軸組に当接するふかし用金具に密着させる構造であることから、作業者の熟練度によっては、内壁パネルをふかし用金具に密着させることができない場合があった。さらに、挿入係止片部の係止爪部が隣接する一対の壁軸組の背面に係止され、一方の壁軸組の前面側に配設された壁軸組補体の前面側に当接片部が当接するだけでは壁軸組補体に仮固定することができず、壁軸組補体に沿って当接片部を折り曲げて巻き込つける必要があり、作業が煩雑になるという問題もあった。
【０００６】
また、壁軸組に対して内壁パネルを一定間隔をおいて建て込むためのふかし用金具は、挿入係止片部に回動自在に遊嵌されるため、ふかし用金具を内壁パネルのふかし長さに合わせて複数個用意する場合、挿入係止片部の長さも変化させる必要があり、このため、ふかし用金具の長さの種類に合わせて長さが異なる挿入係止片部を一体に有する取付板部を用意しなければならず、全体として部品点数が増加してコストがかさむという問題もあった。
【０００７】
この発明は、このような問題点に鑑みてなされたもので、内壁パネルを壁軸組に対して一定間隔をおいて強固に、かつ、短時間に固定することのできる内壁パネルの取付金具を提供するものである。
【０００８】
【課題を解決するための手段】
本発明は、隣接する壁軸組の対向する左右の縦柱の表面に沿って配設可能な金具本体と、この配設状態で金具本体から壁軸組の背面に向けて一体に延設され、隣接する壁軸組の対向する左右の縦柱の間隙に挿入可能な幅を有するとともに、先端には、前記配設状態で壁軸組の対向する左右の縦柱の背面に係止し、前記配設状態から９０度回動させた状態では壁軸組の対向する左右の縦柱の間隙を通過可能な係止片が形成された係止金具と、金具本体の背面側に設けられ、壁軸組の表面を押圧する弾性部材と、金具本体の表面側から背面側に向けて螺合され、壁軸組から一定間隔をおいて建て込まれた隣接する内壁パネルの対向する左右の縦枠間を通って、この縦枠間の表面側に頭部を突出するネジ部材と、このネジ部材の頭部に装着可能な押さえプレートと、ネジ部材に回動可能に遊嵌されたふかし金具と、からなり、隣接する壁軸組の対向する左右の縦柱の間隙を係止金具の係止片が通過できるように金具本体を保持したまま、この間隙に係止金具を挿入し、金具本体を隣接する壁軸組の対向する左右の縦柱の表面に押し付けたまま回動させて係止金具の係止片と弾性部材とによって金具本体を壁軸組に仮固定するとともに、ふかし金具を隣接する壁軸組の対向する左右の縦柱の表面に当接させ、さらに、壁軸組から一定間隔をおいてふかし金具に沿って建て込んだ隣接する内壁パネルの対向する左右の縦枠を、ネジ部材の金具本体への螺合により押さえプレートでふかし金具に密着するように追い込んで、この壁軸組に固定する、もしくは、ふかし金具を回動させて隣接する壁軸組の対向する左右の縦柱のうちの一方の縦柱の表面に当接させ、この一方の縦柱から一定間隔をおいてふかし金具に沿って建て込んだ内壁パネルの縦枠と、壁軸組の他方の縦柱に沿って建て込んだ内壁パネルの縦枠に設けた内壁下地枠とを、ネジ部材の金具本体への螺合により押さえプレートでふかし金具に密着するように追い込んで、この壁軸組に固定することを特徴とするものである。
【０００９】
【発明の実施の形態】
以下、本発明の実施例の形態を図面に基づいて説明する。
【００１０】
図１には、本発明の内壁パネルの取付金具が示されており、この取付金具１は、後述するように、隣接する壁軸組８，８に沿って配設可能であり、上方より見て略コ字状に折曲された金具本体２と、この金具本体２と一体に切り出され、金具本体２の先方に向けて延設された係止金具３と、金具本体２の背面に固定された弾性部材４と、前記金具本体２に形成された雌ねじ２ａに螺合されたネジ部材５と、このネジ部材５に装着された押さえプレート６と、ネジ部材５に回動自在に遊嵌されたふかし金具７と、から構成されている。
【００１１】
そして、金具本体２と一体の係止金具３は、隣接する壁軸組８，８の対向する左右の縦柱８１，８１間の間隙ｃに挿入可能な幅に形成されるとともに、先端に壁軸組８，８の縦柱８１，８１の背面に係止可能な係止片３１が両側に突出して形成されている。この係止金具３の長さは、壁軸組８の縦柱８１の奥行きよりも若干大きく設定されている。
【００１２】
また、弾性部材４は、鋼板を湾曲して形成され、前述した係止金具３を挿通可能な開口部４１ａが形成された本体部４１と、該本体部４１の先端よりも先方に先端が位置するように、本体部４１と一体に切り出された位置決め片４２とからなり、リベットＲによって金具本体２の背面に固定されている。そして、係止金具３の先端と弾性部材４の本体部４１の先端との間隔は、壁軸組８の縦柱８１の奥行きよりも小さく設定されている。
【００１３】
なお、弾性部材４の金具本体２に対する固定は、リベット止めに限らず、溶着や接着、あるいは、ビス止めなどを採用することができる。
【００１４】
さらに、ネジ部材５は、隣接する壁軸組８，８の隙間ｃに挿通可能な直径に形成されており、前述した係止金具３と干渉しないように、係止金具３から偏位して金具本体２に螺合されている。
【００１５】
一方、押さえプレート６には、図２に示すように、該押さえプレート６がネジ部材５に装着された際、押さえプレート６の表面とネジ部材５の頭部５１の表面とが面一となるように設定された深さの段差部６１が形成されている。そして、この段差部６１には、ネジ部材５の頭部５１を傾斜させることによって投影された略楕円に対応する形状の水平嵌入溝６２１と、この水平嵌入溝６２１に略直交するとともにネジ部材５の脚部５２が嵌入可能な垂直嵌入溝６２２からなる略Ｔ字状の嵌入溝６２が形成されている。
【００１６】
このため、ネジ部材５に対して嵌入溝６２の垂直嵌入溝６２２を上下方向に向けて、かつ、押さえプレート６の下方が手前側となるように傾斜させて押さえプレート６をネジ部材５の頭部５１に落とし込み（図２（ａ）参照）、嵌入溝６２の垂直嵌入溝６２２がネジ部材５の脚部５２に嵌まり込んだ状態で押さえプレート６をその下方を先方に押し出すように回動させることにより（図２（ｂ）参照）、水平嵌入溝６２１を頭部５１から回り込ませてネジ部材５に装着させることができる（図２（ｃ）参照）。
【００１７】
この結果、押さえプレート６をネジ部材５が金具本体２に螺合された後からでも装着することができるとともに、段差部６１にネジ部材５の頭部５１との一定の接触面積を確保することが可能となり、後述するように、内壁パネル９の建て込みに押さえプレート６が干渉することを防止することができるとともに、ネジ部材５を回転させることによって押さえプレート６を介して内壁パネル９を壁軸組８に対して強力に締め付けて固定することができる。
【００１８】
さらに、ふかし金具７は、壁軸組８に対して内壁パネル９を一定間隔をおいて建て込むもので、断面略コ字状のふかし金具本体７１と、このふかし金具本体７１の一端から切り起こされて断面コ字状に折曲され、前述したネジ部材５の脚部５２が挿通可能な穴７２ａを形成したガイド部７２とからなり、このガイド部７２は、図１において、その幅が金具本体２の開口部幅よりも小さく設定されるとともに、その奥行きが金具本体２の奥行きよりも小さく設定されている。また、ガイド部７２の先端側折曲片７２１の高さは、金具本体２の開口部幅よりも小さく設定されている。
【００１９】
このため、ふかし金具７をネジ部材５回りに回動させてそのふかし金具本体７１が側方から見てコ字状となるように配置した場合、ガイド部７２が金具本体２の開口部を通ってその内方に入り込むことができ、その際、ガイド部７２の左右に位置するふかし金具本体７１の先端部分が金具本体２を左右から挟み込むものである。また、ふかし金具７をネジ部材５回りに回動させてそのふかし金具本体７１が上方より見てコ字状となるように配置した場合、ガイド部７２の先端側折曲片７２１が金具本体２の開口部を通ってその内方に入り込むことができ、その際、金具本体２の左右一方の側面にガイド部７２の左右に位置するふかし金具本体７１の先端部分が略接するようになっている。
【００２０】
なお、壁軸組８は、詳細には図示しないが、溝型鋼によって形成された左右一対の縦柱８１および上弦材、下弦材（図示せず）を組み合わせて矩形に枠組みしたもので、その内部には、中央部に中柱が設けられている他、Ｘ字状にブレースが張設された従来公知のものである。
【００２１】
また、内壁パネル９は、左右一対の縦枠９１およびこれらの縦枠９１，９１間に連結された複数本の横桟（図示せず）によって矩形に枠組みした後、縦枠９１と横桟によってそれぞれ区画された各空間内にロックウールやグラスウールなどの断熱材９２を詰め込み、室内側の片面に防水防湿シート（図示せず）を貼着して形成されている。ここで、縦枠９１は、その外側面および壁軸組８に対面する背面とが交差することで形成される一隅が切り欠かれており、このため、その横断面が厚肉の略Ｌ字状に形成されている。この縦枠９１の一隅に形成された切欠部に前述した金具本体２を収容することができるようになっている。さらに、内壁パネル９の一方の縦枠９１には、水密材９ａが配設されており、隣接する内壁パネル９，９の対向する左右の縦枠９１，９１間を密封している。
【００２２】
このように構成した取付金具１を用いて内壁パネル９を壁軸組８に対して固定する場合を説明する。まず、押さえプレート６をネジ部材５から離脱させた後、図３に示すように、係止金具３の係止片３１が隣接する壁軸組８，８の対向する左右の縦柱８１，８１間の間隙ｃを通過できるように取付金具１を保持し、そのまま隣接する壁軸組８，８の間隙ｃに係止金具３を挿入する。そして、弾性部材４を圧縮させて押し潰された状態となるまで金具本体２を壁軸組８，８に押し付け、その状態のまま金具本体２を９０度回動させる。
【００２３】
この結果、係止金具３の係止片３１が隣接する壁軸組８，８の背面に係止し、圧縮された弾性部材４がその弾性力によって壁軸組８，８の表面を押圧することから、係止金具３の係止片３１による壁軸組８，８に対する係止状態を保持し、金具本体２を壁軸組８，８に仮に固定することができる。この際、弾性部材４の位置決め片４２は、一方の壁軸組８の縦柱８１の表面に沿って移動した後、隣接する壁軸組８，８の間隙ｃに嵌まり込み、金具本体２の回動を規制して位置決めする。
【００２４】
次いで、ふかし金具７をネジ部材５の脚部５２に沿って押し込み、そのガイド部７２を金具本体２の開口部を通してその内方に入り込ませる。この際、ガイド部７２の左右に位置するふかし金具本体７１の先端部分は、金具本体２を左右から挟み込んだ状態で、その先端側表面が隣接する壁軸組８，８の対向する左右の縦柱８１，８１の前面に当接するものである。このため、ふかし金具７は、ネジ部材５に対する回動が規制され、その状態を保持することができる。
【００２５】
この取付金具１は、隣接する壁軸組８，８の各間隙ｃについて、上下方向に一定の間隔をおいて複数個ずつ取り付ける。
【００２６】
取付金具１の仮固定が終了すれば、内壁パネル９を保持し、図５に示すように、その左方の縦枠９１の外側面が先に建て込まれた内壁パネル９の右方の縦枠９１の外側面に接するように、かつ、その内壁パネル９の縦枠９１，９１の背面がふかし金具７のふかし金具本体７１の手前側表面に接するように建て込む。この際、内壁パネル９の右方の縦枠９１とネジ部材５の頭部５１とが干渉する場合は、ネジ部材５を右方に若干押し付けて傾斜させた状態で内壁パネル９の右方の縦枠９１を差し込めばよい。
【００２７】
このようにして内壁パネル９を建て込むことにより、図６に示すように、取付金具１のネジ部材５の頭部５１を含む先端部分が、内壁パネル９，９の対向する左右の縦枠９１，９１の間を通ってその表面側に突出する。
【００２８】
その後、押さえプレート６を把持し、その嵌入溝６２をネジ部材５の頭部５１に落とし込んでネジ部材５に装着させる。次いで、ネジ部材５を回転させると、押さえプレート６を介して隣接する内壁パネル９，９の対向する左右の縦枠９１，９１をふかし金具７のふかし金具本体７１に密着するように追い込むとともに、強固に固定することができる（図７参照）。
【００２９】
以下同様に、内壁パネル９を壁軸組８に順に固定する。
【００３０】
このように、取付金具１を隣接する壁軸組８，８に仮固定した後、内壁パネル９を差し込み、押さえプレート６を装着したネジ部材５を回転させるといった簡単な作業で内壁パネル９をふかし金具７を介して壁軸組８，８に密着させて強固に固定することができる。しかも、このような作業を内壁パネル９の表面側の広い室内空間を利用して、かつ、電動ドライバーなどの機械力を利用して短時間に行うことができる。さらに、ネジ部材５を回転させ、最終的に押さえプレート６によって内壁パネル９をふかし金具７を介在させた一定間隔をおいた状態で壁軸組８との間で締め付けて強固に固定する構造であることから、当初の内壁パネル９の建て込み位置は必ずしも正確である必要はなく、熟練性を要することなく簡単に作業することができる。
【００３１】
ところで、前述した実施形態においては、隣接する壁パネル９，９をふかし金具７を介して壁軸組８，８から一定間隔をおいて立設する場合について例示したが、一方の内壁パネル９のみを壁軸組８から一定間隔をおいて立設することもできる。具体的には、前述したように、金具本体２を仮固定した後、図８に示すように、ふかし金具７を一定間隔をおいて立設する内壁パネル８側にふかし金具本体７１が上方より見てコ字状となるようにネジ部材５回りに回動させ、ネジ部材５の脚部５２に沿って押し込めばよい。この際、金具本体２の開口部を通ってガイド部７２の先端側折曲片７２１がその内方に入り込み、金具本体２の左右一方の側面にガイド部７２の左右に位置するふかし金具本体７１の先端部分が略接するとともに、その先端側表面が壁軸組８の前面に当接し、ふかし金具７の回動を規制してその状態を保持する。この後、内壁パネル９を保持し、壁軸組８に沿って建て込むとともに、その右方の縦枠９１にふかし金具７の長さ（奥行き）に相当する長さの内壁下地材１０を固定する。そして、次の内壁パネル９を保持し、その左方の縦枠９１の外側面が先に建て込まれた内壁パネル９の右方の縦枠９１に固定された内壁下地材１０の外側面に接するように、かつ、その内壁パネル９の縦枠９１，９１の背面がふかし金具７のふかし金具本体７１の手前側表面に接するように建て込む。内壁パネル９の建て込みが終了すれば、内壁下地材１０と内壁パネル９の縦枠９１との間を通ってその表面側に突出しているネジ部材５の頭部５１に押さえプレート６を装着させた後、ネジ部材５を回転させて固定すればよいものである。
【００３２】
なお、前述した実施形態においては、左側から順に内壁パネル９を建て込む場合について例示したが、右側から内壁パネル９を建て込んでもよく、その順序を限定するものではない。
【００３３】
【発明の効果】
以上のように本発明によれば、隣接する壁軸組の対向する左右の縦柱の表面に押し付けた金具本体を回動させることによって取付金具を壁軸組に仮固定し、押さえプレートを装着したネジ部材にふかし金具を遊嵌させて、このネジ部材を金具本体にねじ込むだけで、壁軸組の表面にふかし金具の長さだけ一定間隔をおいて内壁パネルを確実に密着せつつ強固に固定することができ、作業を容易に、かつ、短時間に行うことができる。
【図面の簡単な説明】
【図１】本発明の内壁パネルの取付金具を示す斜視図である。
【図２】ネジ部材に押さえプレートを装着する場合の説明図である。
【図３】本発明の取付金具を壁軸組の間隙に挿入する直前の状態を示す平面図である。
【図４】本発明の取付金具を壁軸組に仮固定した状態を一部省略して示す斜視図である。
【図５】壁軸組に仮固定された取付金具に内壁パネルを建て込む施工状態を示す斜視図である。
【図６】隣接する一対の内壁パネルを取付金具のネジ部材に押さえプレートを装着して固定する施工状態を示す斜視図である。
【図７】本発明の取付金具により内壁パネルを壁軸組に固定した一実施形態を示す断面図である。
【図８】本発明の取付金具により内壁パネルを壁軸組に固定した他の実施形態を示す断面図である。
【符号の説明】
１  取付金具
２  金具本体
３  係止金具
３１  係止片
４  弾性部材
４２  位置決め片
５  ネジ部材
５１  頭部
５２  脚部
６  押さえプレート
６１  段差部
６２  嵌入溝
７  ふかし金具
７１  ふかし金具本体
７２  ガイド部
８  壁軸組
８１  縦柱
９  内壁パネル
９１  縦枠
ｃ  間隙
【図１】
0003609232.tif 000002
【図２】
0003609232.tif 000003
【図３】
0003609232.tif 000004
【図４】
0003609232.tif 000005
【図５】
0003609232.tif 000006
【図６】
0003609232.tif 000007
【図７】
0003609232.tif 000008
【図８】
0003609232.tif 000009